(57)【特許請求の範囲】
【請求項１】
シートの一部の裏面どうしが重なるように折りたたみできた重ね部を有するとともに、
重ね部を、前記重ね部に含まれる表面以外の表面にさらに重ねることでポケットが形成された壁面植栽マット。
【請求項２】
前記シートは表側布と裏側布との少なくとも二層構造を有しており、表側布は裏側布よりも保水性が高く裏側布は表側布よりもひっぱり強度が高い請求項１に記載の壁面植栽マット。
【請求項３】
前記ポケットは縫い合わせによって構成されるとともに、
前記表側布と前記裏側布とは、前記ポケットを形成するための縫い合わせによって両者
がずれないように構成されている請求項２に記載の壁面植栽マット。
【請求項４】
シートには、壁面に設けられた突起に係止するためのハトメが備えられている請求項１
から３のいずれか一に記載の壁面植栽マット。
【請求項５】
突起を設けた壁面と、この突起にて壁面に係止される請求項４に記載の壁面植栽マット
と、からなる植栽壁面。
【請求項６】
前記壁面に設けられた突起間の幅は、壁面植栽マットに設けられたハトメ間の幅よりも
幅狭である請求項５に記載の植栽壁面。
【発明の詳細な説明】
【技術分野】
【０００１】
本発明は、壁や塀等に、植物を栽培するための土壌等を収納することができるポケットを有し、そのポケットにて植物を栽培することにより、壁面の緑化を実現する壁面植栽マット等に関する。
【背景技術】
【０００２】
近年、ヒートアイランド対策や景観の向上などの観点から屋上緑化や壁面緑化が行われるようになっている。従来の壁面緑化は、つる植物を壁面に這わせたり、壁面上部から植物を壁面に沿って下垂させたりしていた。また、予め所定の植栽ケースに植物を植え、これらの植栽ケースを壁面に設けられる枠などに嵌めこんで壁面緑化パネルとする技術も提案されている。
【０００３】
しかしながら、壁面に這わせたり下垂させたりする場合には、利用できる植物が限られてしまうために、壁面に多彩なデザインを施すことはできなかった。また、壁面緑化パネルの場合には、本来垂直方向に生育する植物を水平方向に寝かせて配置することになり、植物の自然な生育に対して悪影響を及ぼしかねず、また、見た目においても草花が自然に生い茂っている場合とは異なり不自然な印象を与えてしまう。さらには、壁面緑化パネルによる施工は簡易に行えるものではなく、高いコストをもたらす場合がある。
【０００４】
そこで、本来の生育条件に近い状態で植栽し、かつ、簡易に壁面緑化をすることのできる技術として、以下のようなものが提案されている。例えば、特許文献１に記載されているのは、周囲を一重織り部分で囲まれた二重織り部分を局所的に配設し、この二重織り部分の一片を開口してポケット状にした植栽用布を壁面に吊るすことで壁面緑化を行う発明である。
【先行技術文献】
【特許文献】
【０００５】
【特許文献１】特開２０００−３０００８１号公報
【発明の概要】
【発明が解決しようとする課題】
【０００６】
しかしながら、特許文献１に記載の発明においては、一重織り部分と二重織り部分とを格子状に配設するため簡易に製造できるとは言い難く、また、強度の面で不安がある。また、植物を生育させるポケットが一定の大きさに限られているために大小様々な植物を生育させることができず、多彩な植栽デザインの実現が困難であるという問題がある。
【課題を解決するための手段】
【０００７】
そこで、本件発明では上記課題に鑑み以下に示す壁面植栽マットなどを提供する。すなわち第一の発明としては、シートの一部の裏面どうしが重なるように折りたたみできた重ね部を有するとともに、重ね部を、シートの他の部分の表面にさらに重ねることでポケットが形成された壁面植栽マット提供する。
【０００８】
第二の発明としては、前記シートは比較的保水性の高い表側布と、比較的ひっぱり強度が高い裏側布との少なくとも二層構造を有している第一の発明に記載の壁面植栽マットを提供する。
【０００９】
第三の発明としては、前記ポケットは縫い合わせによって構成されるとともに、前記表側布と前記裏側布とは、前記ポケットを形成するための縫い合わせによって両者がずれないように構成されている第二の発明に記載の壁面植栽マットを提供する。
【００１０】
第四の発明としては、シートには、壁面に設けられた突起に係止するためのハトメが備えられている第一の発明から第三の発明のいずれか一に記載の壁面植栽マットを提供する。
【００１１】
第五の発明としては、突起を設けた壁面と、この突起にて壁面に係止される第四の発明に記載の壁面植栽マットと、からなる植栽壁面を提供する。
【００１２】
第六の発明としては、前記壁面に設けられた突起間の幅は、壁面植栽マットに設けられたハトメ間の幅よりも幅狭である第五の発明に記載の植栽壁面を提供する。
【発明の効果】
【００１３】
本発明により、簡易かつ丈夫な構造で、様々な植物を用いた多彩な植栽デザインの実現が可能な壁面植栽マット、及び、これを用いた植栽壁面を提供することができる。
【図面の簡単な説明】
【００１４】
【図１】実施形態１の壁面植栽マットの概念図
【図２】実施形態１の壁面植栽マットの構造を示す概念図
【図３】実施形態１の壁面植栽マットの概念図
【図４】実施形態２のシートの断面を示す概念図
【図５】実施形態３の壁面植栽マットの概念図
【図６】実施形態４の壁面植栽マットの概念図
【図７】実施形態４に係る複数のハトメを備えるシートの概念図
【図８】実施形態４に係る突起を設けたベースプレートの概念図
【図９】実施形態４の壁面植栽マットの具体例を示す図
【図１０】図９で示した壁面植栽マットの全体を示す図
【図１１】実施形態５の植栽壁面をつくるためのフレームを示す図
【図１２】二枚の壁面植栽マットを重ねて係止した場合の断面の概念図
【発明を実施するための形態】
【００１５】
以下、本件発明の実施の形態について説明する。なお、本件発明は、これら実施形態に何ら限定されるべきものではなく、その要旨を逸脱しない範囲において、種々なる態様で実施し得る。
【００１６】
実施形態１は、主に請求項１などに関する。実施形態２は、主に請求項２などに関する。実施形態３は、主に請求項３などに関する。実施形態４は、主に請求項４などに関する。実施形態５は、主に請求項５、６などに関する。
<実施形態１>
<実施形態１  概要>
【００１７】
本実施形態の概要を、図１を用いて説明する。図１の左図は、本実施形態の壁面植栽マットを正面から視た図である。また、同右図は、壁面植栽マットを横から視た図である。壁面植栽マット（０１０１）には複数のポケット（０１０２）が形成されており、このポケットに植物（０１０３）を植えることができる。このポケットは壁面植栽マットの材料であるシートの一部を重ねて折りたたむことにより形成されている。一のシートでポケットを形成しているため、複数の布を縫い合わせたり接合したりしてポケットを形成する場合などに比べてポケットの底が抜けてしまうようなことは格段に少なくなる。また、シートを重ねて折りたたむことでポケットがより丈夫になる。また、適度に柔軟なシートにより形成されるので、収納される土壌の量に応じてたわむことができるので、植物の生育に十分な土壌等を収めることができ、また、植物が垂直方向に自然に生育するための余地が確保される。この壁面植栽マットを壁面に取り付けることにより壁面緑化を実現することができる。
<実施形態１  構成>
【００１８】
本実施形態の壁面植栽マットは、シートの一部の裏面どうしが重なるように折りたたみできた重ね部を有するとともに、重ね部を、シートの他の部分の表面にさらに重ねることでポケットが形成される。
【００１９】
本実施形態の壁面植栽マットの構造を、図２を用いて説明する。図２（ａ）は、壁面植栽マットの材料であるシートを示すものである。このシートは表面（０２０１）と裏面（０２０２）とを有する。図２（ｂ）に示すように、シートの一部の裏面（０２０２）どうしを重ねて折りたたむことにより重ね部（０２０３）が形成される。そして、図２（ｃ）に示すように、重ね部を、シートの他の部分の表面にさらに重ねる。さらに、重ね部の縦方向の二辺の部分（０２０４、０２０５）を重なり合う表面と接合することにより上方に開口するポケット（０２０６）が形成される。なお、シートの他の部分の表面とは、重ね部に含まれる表面以外の表面のことである。
【００２０】
このように、一のシートを折り畳んでポケットを形成しているので、異なる布を縫い合わせるなどしてポケットを形成する場合に比較して、底が抜けるおそれが低下する。また、重ね部はシートが二重になっているので、その分ポケットの強度を高める効果がある。
【００２１】
上記の接合は、縫い合わせることにより行ってもよいし、接着剤やステープラーなどにより行ってもよい。用いる糸や針は、丈夫で耐腐食性に優れるものが好ましい。
【００２２】
ポケットの底の部分、すなわち、裏面どうしを重ねるために折り返した部分（０２０７）については、他の部分の表面と接合してもよいし、接合しなくてもよい。接合した場合には、ポケットをより丈夫に形成することができる。また、接合しない場合には、よりマットがたわみ易くなるので、枝葉や花を広げる性質の植物を植える場合や、壁面を植栽により立体的に装飾したい場合などに好適である。
【００２３】
図３は、大小様々なポケットを形成した壁面植栽マットの一例を示すものである。従来技術においては、予め、植栽するためのポケットの深さに応じた布を用意する必要があったが、本実施形態の壁面植栽マット（０３０１）においては、重ね部の形成を調節することで容易に大小のポケットを形成することが可能である。まず、折りたたむ幅（０３０４）を調節することで、任意の深さのポケット（０３０２）を容易に形成することができる。また、一のポケットを横方向（０３０３）の任意の位置で、縦方向の線状に接合（０３０５）することで、任意の位置で複数のポケットに区分することもできる。このように、植栽デザインに応じて、任意の大きさのポケットを任意の位置に設けることが容易にできる。
【００２４】
シートの材質は特段限定するものではない。特性として保水性と排水性をバランスよく備え、耐腐食性を備え、ひっぱり強度の高い丈夫な材質が好ましい。例えば、比較的厚みを持った不織布がシートの材質として好ましい。材質や厚みなどは、マット全体の大きさや、植える植物の品種、ポケットに収納する土壌の量などの諸条件に応じて適宜定め得る。
【００２５】
シートに求められる特性は上述したように多岐にわたる。これを一枚のシートにより各特性を好適な条件に整えることは容易でない場合もある。その場合には、求められる特性によりシートを多層構造にしてもよい。例えば、土壌や植物が触れる表面には、とくに保水性、排水性、耐腐食性に優れる材料を選択し、裏面側にひっぱり強度の高い材質を選択し、それらを重ねて二層構造として一体化することで、マットに求められる条件をより容易に満たし得る。
【００２６】
壁面植栽マットを壁面に取り付けるには、例えば、マットの上端に吊り下げるための穴などを穿ち、フック、釘、ボルト、鋲などにより吊り下げて取り付けてもよい。また、マットを壁面に接着させてもよい。あるいは、マットの大きさに応じた枠などに取り付けたうえで、その枠などを壁面に固定するようにしてもよい。マットの取り付けは、壁面の構造などの諸条件に応じて適宜行い得る。
【００２７】
壁面植栽マットに自動潅水手段を設けてもよい。例えば、ドリップチューブなどをポケットの開口部分付近に設けておき給水ポンプ等を制御し適時適量の潅水を行えるようにしてもよい。このような潅水手段を備えることは、高所での水やりを安全確実に行うことができ好ましい。
<実施形態１  効果>
【００２８】
本実施形態の壁面植栽マットにより、簡易かつ丈夫な構造で、様々な植物を用いた多彩な植栽デザインの実現が可能な壁面植栽マットを提供することができる。ポケットの底ぬけがほとんど起こらないため安全である上に、万が一ポケットの側面の接合が外れたとしてもポケット内の土や砂などが直接的に下の段のポケットを直撃しないので上段から下段に向けたポケットの崩壊が連鎖的に起こることを少なくできる。
<実施形態２>
<実施形態２  概要>
【００２９】
本実施形態は、実施形態１に係る壁面植栽マットにおいて、マットを構成するシートを多層構造にしたものである。壁面植栽マットは、保水性、排水性、柔軟性、耐腐食性、ひっぱり強度など種々の特性が求められる。これらを一のシートに要求することは材料選定の幅を狭めてしまいかねない。そこで、特性に応じたシートを複数用いて多層構造とすることで、種々の特性に優れる壁面植栽マットを容易に提供することが可能となる。ここでは、とくに比較的保水性の高いシートと、比較的ひっぱり強度の高いシートとで二層構造とした壁面植栽マットについて説明する。
<実施形態２  構成>
【００３０】
本実施形態の壁面植栽マットは、実施形態１を基本とし、そのシートが、比較的保水性の高い表側布と、比較的ひっぱり強度の高い裏側布との少なくとも二層構造を有する。図４の左図は本実施形態のシートの断面を示す図である。シート（０４０１）は、表側布（０４０２）と裏側布（０４０３）との二層構造になっている。図４の右図は、ポケットの部分を示す概念図である。図示するように、折りたたまれる表側布によりポケットの内側の袋部分（０４０４）が構成される。「比較的」とは、二層構造若しくは多層構造のシートにおいて、一の層のシートと他の層のシートとを比較して、という意味である。つまり、表側布は裏側布よりも保水性が高く、裏側布は表側布よりもひっぱり強度が高いということである。
【００３１】
表側布には、比較的保水性の高い布を用いる。上述したように、表側布はポケットの内側を構成し、植物を生育させるための土壌を収納する。すなわち、植物の栽培環境に大きな影響を与える。そこで、栽培環境を良好に保つための特性である保水性を表側布が備えていることが望ましい。また、壁面植栽マットは土壌及び植物をポケットに収納し、壁面に吊るしたり固定したりして取り付ける。そのため、とくにひっぱり強度が高いことが求められる。そこで、裏側布には比較的ひっぱり強度の高い布を用いる。これらを二層構造とすることにより、両方の特性に優れる壁面植栽マットとすることが容易になる。
【００３２】
保水性の高い表側布には、例えば、港湾・埋立などの土木建設工事に用いられる合成繊維を材質とする不織布などが好ましい。これらの用途に用いられる不織布は、吸出し防止・洗堀防止等を目的として製造されており、比較的保水性が高いとともに適度な排水性をも備えている。また、伸ばしても破れにくいという特性を有する。
【００３３】
ひっぱり強度の高い裏側布には、例えば、建築養生用シートやトラックシート、野積み用シートなどを用いることができる。厚みは、マットの大きさや栽培する植物の種類、量などに応じて適宜選択し得るが、例えば、＃２５００から＃４０００程度のものであれば十分なひっぱり強度を得ることができる。
【００３４】
なお、シートを多層構造とするにあたり、二層に限られるものではなく、三層や四層であってもよい。また、それらを構成する各層の布は、植物の種類、土壌の種類、設置場所の日当たりや風通しなどの気候条件等の種々の条件に応じて適宜選択し、組み合わせて構成することができる。
<実施形態２  効果>
【００３５】
本実施形態の壁面植栽マットにより複数のシートを多層構造とすることで、マットの使用条件に適した保水性やひっぱり強度などを備える壁面植栽マットを容易に実現することができる。
<実施形態３>
<実施形態３  概要>
【００３６】
本実施形態は、重ね部を重ねて縫い合わせることでポケットを形成し、また、縫い合わせてポケットを形成することで表側布と裏側布とがずれないように構成されている。すなわち、ポケットの形成と表側布と裏側布との一体化とを一の縫い合わせ工程で行うことができ、簡易に壁面植栽マットを製造することができる。
<実施形態３  構成>
【００３７】
本実施形態の壁面植栽マットは、実施形態２を基本とし、ポケットは縫い合わせによって構成されるとともに、表側布と裏側布とは、ポケットを形成するための縫い合わせによって両者がずれないように構成されている。
【００３８】
本実施形態の壁面植栽マットの概念図を図５に示す。壁面植栽マット（０５０１）は重ね部（０５０２）をさらに重ねることでポケット（０５０３）を形成する。そして、重ね部が重ねられた状態で、ポケットの左右両端部分を縦方向に縫い合わせる（０５０４）。
【００３９】
図５（ｃ）は、ポケット部分の断面を示す概念図である。重ね部（０５０３）をシートの他の部分の表面に重ね、これを縫い合わせる（０５０４）ことでポケットが構成される。また、このように縫い合わせることで、シートを構成する表側布と裏側布とがずれないようになる。なお、図５（ｂ）においては、ポケットの横方向における両端部分を縦方向に縫い合わせているが、この縦方向の縫い合わせをさらにシート全体に延伸してもよい。すなわち、図５（ｄ）に示すように、シートの上（０５０５）から下（０５０６）まで糸を切ることなく一の縫い合わせ（０５０４）工程により、一気にポケットの形成と表側布と裏側布との一体化をすることができる。このように、簡易な工程でシート全体において表側布と裏側布とがよりずれにくくなり、裏側布による補強効果がより得られる。縫い合わせのための糸などは特段限定するものではなく、合成繊維及び天然繊維などを用いることができ、丈夫なものであれば耐久性などの面でより好ましい。
<実施形態３  効果>
【００４０】
本実施形態の壁面植栽マットにより、簡易な工程でポケットが形成されるとともに表側布と裏側布とがずれにくくなる。
<実施形態４>
<実施形態４  概要>
【００４１】
本実施形態は、シートに、壁面に設けられた突起に係止するためのハトメが備えられることを特徴とするものである。図６は、本実施形態の壁面植栽マットの概念図である。シート（０６０１）の隅の部分にはハトメ（０６０２、０６０３）が備えられている。このシートを係止するための突起（０６０５、０６０６）が、壁面（０６０４）に設けられている。そして、この突起にシートのハトメを係止することで、壁面緑化を簡易に実現することができる。
<実施形態４  構成>
【００４２】
本実施形態のシートには、壁面に設けられた突起に係止するためのハトメが備えられている。このハトメは丈夫であることが好ましく、例えば、真鍮製のものなどが好ましい。また、ハトメを備える位置やその数は任意に定めることができ、シートの大きさや植栽する植物等の重量などに応じたものとなる。
【００４３】
図７には複数のハトメを備えるシートの一例を示す概念図である。シート（０７０１）の四隅にはハトメ（０７０２〜０７０５）が備えられる。四隅にハトメを備えることで、シートがたわんだり、はためいたりすることを抑止して壁面に係止することが容易になる。また、四隅以外でも、シートの横方向の端部あるいは側部などにハトメを備えることで、より安定的にシートを壁面に取り付けることができる。なお、ポケット（０７０６）とポケット（０７０７）との間にハトメ（０７０８）を備えてもよいし、ポケット（０７０９）が形成されているところにハトメ（０７１０）を備えてもよい。前者の場合には、ポケットの開口を妨げることがなくポケットを広く利用でき、後者の場合には、ポケットの強度を高めることができる。
【００４４】
シートを係止するために設けられる壁面の突起は、図６に示したように壁面に直接設けてもよいし、あるいは、突起の付いたベースプレート（板状部材）などを壁面にしっかりと固定し、これを壁面の突起としてもよい。例えば、図８は複数の突起を設けたベースプレートの概念図である。ベースプレート（０８０１）には、複数の突起（０８０２）が設けられている。突起にボルトのように雄ねじを切っておき、シートのハトメとともにナットで締め付けることで、よりしっかりとシートを取り付けることができ好ましい。
【００４５】
図９に本実施形態の壁面植栽マットの具体例を示す。図においてマットの下方については図示省略しているが、マットの縦方向の長さは３８００ｍｍであり、横方向は１０００ｍｍである。横方向におけるハトメ間の長さは略９３０ｍｍである。ポケットの数は１４である。なお、破線で示しているのは縫製の位置である。
<実施形態４  効果>
【００４６】
本実施形態により、壁面に設けられる突起にシートを係止することで簡易かつ確実に壁面緑化を行うことができる。
<実施形態５>
<実施形態５  概要>
【００４７】
本実施形態は、壁面植栽マットを壁面に取り付けることで、植栽壁面、すなわち植栽を施した壁面が実現するものである。壁面植栽マットを用いることにより、様々な植物等をポケットにて植栽することができ、この壁面植栽マットを壁面に取り付けることにより、壁面において多様な植栽デザインを施すことが容易に可能となる。
<実施形態５  構成>
【００４８】
本実施形態の植栽壁面は、突起を設けた壁面と、この突起にて壁面に係止される実施形態４の壁面植栽マットとからなる。壁面に突起を設け、これに壁面植栽マットを係止することで、簡単に壁面の緑化を実現することが可能となる。
【００４９】
植栽壁面は、その壁面の大きさに合わせた一枚の壁面植栽マットを係止してなるものであってもよく、また、複数の壁面植栽マットを係止してなるものであってもよい。例えば、工場やビルなどの大型の建築物の壁面を植栽壁面とする場合などでは、一枚の壁面植栽マットで植栽壁面とするのは、作業効率やコスト等の面から現実的ではない。そこで、所定の大きさの壁面植栽マットを、壁面の面積に応じて複数枚用いて植栽壁面とする。以下、具体例を用いて植栽壁面について説明する。
【００５０】
図１０は、図９で示した壁面植栽マットの全体を示すものである。図示するように、その大きさは横方向が略１０００ｍｍ、縦方向が略３８００ｍｍである。この壁面植栽マットを、ひとつの単位として施工する壁面の大きさに応じて複数用いる。
【００５１】
図１１は、上記の壁面植栽マットを５枚用いて植栽壁面をつくるためのフレームを示すものである。図中においてフレームの縦枠が実施形態４で説明したベースプレートに相当するものであり、そこに設けられる複数の点はハトメを通して壁面植栽マットを係止するためのボルトであり、縦方向に隣接するボルトの間隔は２５０ｍｍである。ここで、一のマットのハトメとこれに隣接するマットのハトメとを重ねてボルトに係止することで、壁面を連続的にマットで覆うことが効率よくできる。
【００５２】
図１２は、二枚の壁面植栽マットを重ねて係止した場合の断面の概念図を示す。ベースプレート（１２０１）にはボルト状の突起が設けられており、そこに一のマット（１２０２）のハトメ（１２０３）と、それに連なるマット（１２０４）のハトメ（１２０５）とを重ねて通す。さらに、バネ座金（１２０６）を介して袋ナット（１２０７）で締結する。
【００５３】
壁面がより大きい場合には、縦枠のベースプレートの数を増やしたフレームを設置し、それに応じた数の壁面植栽マットを取り付けることができる。このような構成とすることにより、様々な大きさの壁面に容易に対応することができるとともに、植栽壁面の施工をリーズナブルなコストで早期に実現することが可能となる。さらに、植栽壁面の部分的な修復や交換なども容易に行えるので、多様な植栽デザインに容易に応じることのできる植栽壁面が実現する。
【００５４】
壁面と壁面植栽マットとの隙間は適宜定めることができる。例えば、建物の壁面と植栽マットとの隙間をなくして取り付ける場合には保温・断熱効果を得ることができ、冷暖房の効果がより高まる。一方、これらの効果を望まない場合には、壁面と植栽マットとの間に、例えば、２０ｍｍ程度の隙間を設けておけばよい。なお、壁面と植栽マットとの隙間の調節は、植栽マットを係止するためのベースプレートやフレームの厚さを調節するなどして行うことができる。
【００５５】
また、図１１に示すフレームにおいて一の壁面植栽マットを係止するための突起（ボルト）間の長さは、ハトメ間の長さである９３０ｍｍと略同じ長さにしているが、突起間の長さをハトメ間の長さよりも短くしてもよい。マットの横方向に加わるひっぱり力が低減することによりマットをより長持ちさせることができる。また、ポケットの開口を広くすることができるので、比較的多量の土壌を必要とする植物や枝葉の拡がる植物を生育する場合にも良好な生育環境を整えることが可能となる。
<実施形態５  効果>
【００５６】
本実施形態の植栽壁面により、植栽壁面の施工をリーズナブルなコストで早期に実現することが可能になるとともに、多様な植栽デザインに容易に応じることのできる植栽壁面が実現する。
【符号の説明】
【００５７】
０１０１  壁面植栽マット
０１０２  ポケット
０１０３  植物
【要約】
【課題】従来、壁面を緑化する場合、つる植物を壁面に這わせるなど特定の植物しか利用することができず、壁面に多彩な植栽デザインを施すことができなかった。そこで、様々な植物を植栽することができるとともに、簡易に壁面緑化を実現し得る壁面植栽マット、及び、これを用いた植栽壁面を提供することを課題とする。
【解決手段】シートの一部の裏面どうしが重なるように折りたたみできた重ね部を有するとともに、重ね部を、シートの他の部分の表面にさらに重ねることでポケットが形成された壁面植栽マットなどを提供する。
【選択図】図１【図１】
0004846054.tif 000002
【図２】
0004846054.tif 000003
【図３】
0004846054.tif 000004
【図４】
0004846054.tif 000005
【図５】
0004846054.tif 000006
【図６】
0004846054.tif 000007
【図７】
0004846054.tif 000008
【図８】
0004846054.tif 000009
【図９】
0004846054.tif 000010
【図１０】
0004846054.tif 000011
【図１１】
0004846054.tif 000012
【図１２】
0004846054.tif 000013